(57)【要約】【課題】風などにより軒樋に作用する外力による折板屋根への負荷を軽減でき、しかも軒樋吊具に簡単に装着できる軒樋吊具用補強部材を提供する。【解決手段】本発明の軒樋吊具用補強部材４には、接合部Ｐを有する山板部１１ａ両側の各谷板部１１ｂ，１１ｂ下端面にそれぞれ当接する一対の当接面部１４Ｑ，１４Ｒを有する板状の補強部材本体１４Ａと、補強部材本体１４Ａに設けられ補強部材本体１４Ａを吊り下げボルト１３Ｂａに固定するためのボルト保持部１４Ｂと、が設けられ、ボルト保持部１４Ｂは吊り下げボルト１３Ｂａに、この吊り下げボルト１３Ｂａの側方から装着可能とされて、一対の当接面部１４Ｑ，１４Ｒを各谷板部１１ｂ，１１ｂ下端面にそれぞれ当接させた状態で補強部材本体１４Ａを吊り下げボルト１３Ｂａに固定することによって軒樋吊具１３Ａを接合部Ｐより下方で支持する。【選択図】図２
2010007293.tif 000002
【特許請求の範囲】
【請求項１】
山板部と該山板部の下方に位置する谷板部とを繰り返し交互に有する折板屋根と、
前記山板部軒先側端部の接合部に固定された長尺の吊り下げボルトと該吊り下げボルトの下端部に接合され軒樋を固定する吊具本体とを有する軒樋吊具と、
が設けられ、
前記折板屋根と前記軒樋吊具とに介在して前記接合部での接合を補強する軒樋吊具用補強部材であって、
前記接合部を有する山板部両側の各谷板部下端面にそれぞれ当接する一対の当接面部を有する板状の補強部材本体と、
前記補強部材本体に設けられ該補強部材本体を前記吊り下げボルトに固定するためのボルト保持部と、
が設けられ、
前記ボルト保持部は前記吊り下げボルトに該吊り下げボルトの側方から装着可能とされて、
前記一対の当接面部を前記各谷板部下端面にそれぞれ当接させた状態で前記補強部材本体を前記吊り下げボルトに固定することによって前記軒樋吊具を前記接合部より下方で支持することを特徴とする軒樋吊具用補強部材。
【発明の詳細な説明】
【技術分野】
【０００１】
折板屋根と軒樋吊具との接合を補強するための軒樋吊具用補強部材に関する。
【背景技術】
【０００２】
従来から、折板屋根と軒樋吊具との接合を補強するための軒樋吊具用補強部材が知られている（特許文献１等参照）。
【０００３】
図１（ａ）において、符号１は建物に設けられた折板屋根、符号２は軒樋、符号３は軒樋吊具、符号４は本従来例の軒樋吊具用補強部材である。
【０００４】
折板屋根１は、山板部１ａと、山板部１ａの下方に位置する谷板部１ｂと、山板部１ａと谷板部１ｂとの間に延びる傾斜板部１ｃとを複数有しており、軒先側から見て山形と谷形とを交互に繰り返す形状を呈している。
【０００５】
折板屋根１は、山板部１ａと、谷板部１ｂと、傾斜板部１ｃとを鋼板を折り曲げることによって形成して、このような鋼板を複数連結することにより形成されている。
【０００６】
図１（ｂ）に示すように、軒樋吊具３は、軒樋２の一対の耳部２ａ，２ｂを保持する吊具本体３Ａと、長尺の吊り下げボルト３Ｂａ、ナット３Ｂｂ、ワッシャ３Ｂｃ、鍋型ワッシャ３Ｂｄ、フェルトワッシャ３Ｂｅからなる接合部材３Ｂとによって構成されている。
【０００７】
吊具本体３Ａは吊り下げボルト３Ｂａの下端部に接合されており、両端部に軒樋２の一対の耳部２ａ，２ｂを保持するための一対の保持部３Ａｂ，３Ａｃをそれぞれ有している。
【０００８】
本従来例の補強部材４は、略Ｌ字形状の上側部材４Ａと、略Ｌ字形状の下側部材４Ｂとによって構成されている。
【０００９】
上側部材４Ａには吊り下げボルト３Ｂａ挿通用の穴と、下側部材４Ｂとの連結用ネジ穴とが設けられており、下側部材４Ｂには上側部材４Ａとの連結用ネジ穴と、吊具本体３Ａとの接合用ネジ穴とが設けられている。なお、これらの穴は図示が省略されている。
【００１０】
山板部１ａの軒先側端部には、軒樋吊具３を固定するための穴（図示省略）が数カ所おきに形成されている。
【００１１】
軒樋２の取り付け施工の際には、吊具本体３Ａが取り付けられた吊り下げボルト３Ｂａの上端部を山板部１ａの穴にそれぞれ下側から貫通させ、上側部材４Ａを各吊り下げボルト３Ｂａに山板部１ａの上側から挿通させて、上側部材４Ａと山板部１ａとを上下から挟むように吊り下げボルト３Ｂａに取り付けた一対のナット３Ｂｂ，３Ｂｂにより、鍋型ワッシャ３Ｂｄとフェルトワッシャ３Ｂｅとを介して上下から締め付ける。
【００１２】
このように、吊り下げボルト３Ｂａを山板部１ａに接合している接合部を接合部Ｐとする。
【００１３】
接合部Ｐでの接合により、吊り下げボルト３Ｂａが山板部１ａに固定されると共に補強部材４の上側部材４Ａが山板部１ａに固定される。
【００１４】
そして、上側部材４Ａと、吊具本体３Ａに取り付けた下側部材４Ｂとをネジとナットとによって接合する。
【００１５】
このように、折板屋根１の山板部１ａと吊具本体３Ａとに補強部材４を装着することによって折板屋根１と軒樋吊具３との接合が補強される。
【００１６】
そして、軒樋２の耳部２ａ，２ｂをそれぞれ軒樋吊具３の保持部３Ａｂ，３Ａｃに嵌合させることにより折板屋根１の軒先部に軒樋２が固定される。
【特許文献１】特開２００１−２９５４３４号公報
【発明の開示】
【発明が解決しようとする課題】
【００１７】
ところで、仮に従来例の補強部材４を使用しない場合には、軒樋２を装着した軒樋吊具３は接合部Ｐだけで支持される。
【００１８】
この場合に軒樋２に強風が吹き付けると、接合された軒樋２と軒樋吊具３との全体に、接合部Ｐを回転軸とする力のモーメントが作用する。
【００１９】
一般に、接合部Ｐのナット３Ｂｂや鍋型ワッシャ３Ｂｄなどの接合部材のおおよその径ｄは、接合部Ｐから軒樋２までの距離ｈに比べて小さいので、風により軒樋２に作用する外力Ｆによって生じる力は接合部Ｐの近傍では梃子の原理により増大して接合部Ｐ近傍に大きな曲げ応力を生じさせる。このため、山板部１ａの鋼材が接合部Ｐの近傍で破損するおそれがあった。
【００２０】
また、図１（ｂ）に示すように、従来例の補強部材４を使用した場合には、山板部１ａと補強部材４との当接部のおおよその長さＬが、ナット３Ｂｂや鍋型ワッシャ３Ｂｄなどの接合部材のおおよその径ｄに比べて長いので、接合部Ｐ近傍への応力集中は補強部材４を使用しない場合より緩和される。
【００２１】
ところで、折板屋根１の谷板部１ｂを伝わって流れる雨水を軒樋２に取り込むために、軒樋２の軒先側上端部Ｅ１は一般に谷板部１ｂの軒先側端縁Ｅ２より軒先側に迫り出している必要があるので、上述の長さＬは軒樋２の幅ｗよりは短く制限される。
【００２２】
したがって、長さＬは接合部Ｐから軒樋２までの距離ｈに比べて一般に短くなるので、外力Ｆにより生じる力はやはり接合部Ｐの近傍で増大して、この接合部Ｐの近傍に大きな曲げ応力を生じさせる。
【００２３】
このため、従来例の補強部材４を使用しても、接合部Ｐと山板部１ａの軒先側端縁との間に、この曲げ応力が作用して、山板部１ａの鋼材が山板部１ａと補強部材４との当接部近傍で破損するおそれがあった。
【００２４】
また、上述したように、従来例の補強部材４は上側部材４Ａの穴を吊り下げボルト３Ｂａに挿通した状態で吊り下げボルト３Ｂａに固定されるので、軒樋吊具３の取り付けと共に取り付けを行う必要があった。
【００２５】
したがって、既設の軒樋吊具３については、一旦、接合部Ｐのナット３Ｂｂ，鍋型ワッシャ３Ｂｄ，フェルトワッシャ３Ｂｅを取り外す必要があり、取り付け施工に手間が掛かるという問題があった。
【００２６】
そこで、本発明では、風などにより軒樋に作用する外力による折板屋根への負荷を軽減でき、しかも軒樋吊具に簡単に装着できる軒樋吊具用補強部材を提供することを目的としている。
【課題を解決するための手段】
【００２７】
上記目的を達成するために請求項１に記載されたものは、山板部と該山板部の下方に位置する谷板部とを繰り返し交互に有する折板屋根と、前記山板部軒先側端部の接合部に固定された長尺の吊り下げボルトと該吊り下げボルトの下端部に接合され軒樋を固定する吊具本体とを有する軒樋吊具と、が設けられ、前記折板屋根と前記軒樋吊具とに介在して前記接合部での接合を補強する軒樋吊具用補強部材であって、前記接合部を有する山板部両側の各谷板部下端面にそれぞれ当接する一対の当接面部を有する板状の補強部材本体と、前記補強部材本体に設けられ該補強部材本体を前記吊り下げボルトに固定するためのボルト保持部と、が設けられ、前記ボルト保持部は前記吊り下げボルトに該吊り下げボルトの側方から装着可能とされて、前記一対の当接面部を前記各谷板部下端面にそれぞれ当接させた状態で前記補強部材本体を前記吊り下げボルトに固定することによって前記軒樋吊具を前記接合部より下方で支持する軒樋吊具用補強部材を特徴としている。
【発明の効果】
【００２８】
本発明の請求項１に記載されたものでは、一対の当接面部を各谷板部下端面にそれぞれ当接させた状態で補強部材本体を吊り下げボルトに固定することによって軒樋吊具を接合部より下方で支持するため、風などにより軒樋に作用する外力による力のモーメントの軸位置が下方に下がり、等しい外力が軒樋に加わった場合であっても、装着前に比べて軒樋と軒樋吊具とに作用する力のモーメントが減少し、しかも接合部に集中していた力が各谷板部の下端面にも分散されるので、外力による折板屋根への負荷を軽減させることができる。
【００２９】
また、折板屋根の山板部と谷板部との高さ方向の距離は、接合部と山板部軒先側端縁との距離に比べて一般に大きいので、梃子の原理により、接合部と各谷板部の下端面とに作用するそれぞれの応力は、従来例における接合部と山板部軒先側端縁との間に集中する応力に比べて減少し、外力による折板屋根への負荷が軽減される。
【００３０】
そして、ボルト保持部は吊り下げボルトに、この吊り下げボルトの側方から装着可能とされているので、吊り下げボルトと山板部との接合や吊り下げボルトと吊具本体との接合を解除することなく吊り下げボルトに本発明の軒樋吊具用補強部材を装着することができ、装着の施工性がよい。
【発明を実施するための最良の形態】
【００３１】
以下、本発明に係る実施の形態を実施例に基づいて説明する。
【実施例１】
【００３２】
〈構成〉
図２（ａ）において、符号１１は折板屋根、符号１２は軒樋、符号１３は軒樋吊具、符号１４は本実施例の軒樋吊具用補強部材である。
【００３３】
折板屋根１１は、山板部１１ａと、山板部１１ａの下方に位置する谷板部１１ｂと、山板部１１ａと谷板部１１ｂとの間に延びる傾斜板部１１ｃとを複数有しており、軒先側から見て山形と谷形とを交互に繰り返す形状を呈している。
【００３４】
折板屋根１１は、山板部１１ａと、谷板部１１ｂと、傾斜板部１１ｃとを鋼板を折り曲げることによって形成して、このような鋼板を複数連結することにより形成されている。
【００３５】
図２（ｂ）に示すように、軒樋吊具１３は、軒樋１２の一対の耳部１２ａ，１２ｂを保持する吊具本体１３Ａと、長尺の吊り下げボルト１３Ｂａ、ナット１３Ｂｂ、ワッシャ１３Ｂｃ、鍋型ワッシャ１３Ｂｄ、フェルトワッシャ１３Ｂｅからなる接合部材１３Ｂとによって構成されている。
【００３６】
吊具本体１３Ａは、吊り下げボルト１３Ｂａの下端部に接合されており、両端部に軒樋１２の一対の耳部１２ａ，１２ｂを保持するための一対の保持部１３Ａｂ，１３Ａｃをそれぞれ有している。
【００３７】
山板部１１ａの軒先側端部には、軒樋吊具１３を固定するための穴（図示省略）が数カ所おきに形成されている。
【００３８】
軒樋１２の取り付け施工の際には、吊具本体１３Ａが取り付けられた吊り下げボルト１３Ｂａの上端部を山板部１１ａの穴にそれぞれ下側から貫通させて、山板部１１ａを上下から挟むように吊り下げボルト１３Ｂａに取り付けた一対のナット１３Ｂｂ，１３Ｂｂにより、鍋型ワッシャ１３Ｂｄとフェルトワッシャ１３Ｂｅとを介して上下から締め付ける。
【００３９】
このように、吊り下げボルト１３Ｂａを山板部１１ａに接合している接合部を接合部Ｐとする。
【００４０】
そして、軒樋１２の耳部１２ａ，１２ｂをそれぞれ軒樋吊具１３の保持部１３Ａｂ，１３Ａｃに嵌合させることによって建物の折板屋根１１の軒先部に軒樋１２が固定される。
【００４１】
図３において、符号１４は本実施例の補強部材であり、補強部材１４は折板屋根１１と軒樋吊具１３とに介在して接合部Ｐでの接合を補強するものである。
【００４２】
補強部材１４は、補強部材本体１４Ａと、ボルト保持部１４Ｂと、バネ板部１４Ｃとによって構成されており、これらは鋼材によって形成されている。
【００４３】
補強部材本体１４Ａは平面視略長方形の板状を呈しており、補強部材本体１４Ａの上面側略中央には面に垂直に伸びるボルト保持部１４Ｂが取り付けられている。
【００４４】
ボルト保持部１４Ｂは、補強部材本体１４Ａを吊り下げボルト１３Ｂａに固定するためのものである。
【００４５】
補強部材本体１４Ａには、幅手方向両端部に長手方向の曲げに対する補強のための一対の屈曲部１４ＡＥ，１４ＡＥが形成されている。
【００４６】
また、補強部材本体１４Ａには、長手方向一端部中央位置から補強部材本体１４Ａの平面視中央位置まで伸びる方形状の切り込み部１４Ａａが形成されている。この切り込み部１４Ａａの幅は、吊り下げボルト１３Ｂａの径より僅かに広くなっている。
【００４７】
補強部材本体１４Ａには、切り込み部１４Ａａ終端部近傍の幅手方向両側に切り欠き部１４Ａｂ，１４Ａｂが形成されている。
【００４８】
補強部材本体１４Ａには、切り込み部１４Ａａの伸びる方向終端縁側にボルト保持部１４Ｂとのリベット接合用の穴１４Ａｃが形成されている。
【００４９】
補強部材本体１４Ａは、その上面部の長手方向両側付近に、折板屋根１１の一対の谷板部１１ｂ，１１ｂの下端面にそれぞれ当接される一対の当接面部１４Ｑ，１４Ｒを有しており、これらの当接面部１４Ｑ，１４Ｒにはブチルゴム製の両面粘着テープＴがそれぞれ貼設されている。
【００５０】
図３または図４に示すように、ボルト保持部１４Ｂは、その伸びる方向の横断面形状が略コの字形状を呈しており、当接壁１４Ｂａと一対の保持壁１４Ｂｂ，１４Ｂｂとを有している。
【００５１】
当接壁１４Ｂａは、吊り下げボルト１３Ｂａを挿通する方向に伸びる長方形状を呈しており、一対の保持壁１４Ｂｂ，１４Ｂｂは、当接壁１４Ｂａの幅手方向両端部からそれぞれ対向して同一方向に延びている。
【００５２】
これらの当接壁１４Ｂａと一対の保持壁１４Ｂｂ，１４Ｂｂとによって包囲され、吊り下げボルト１３Ｂａが挿通される空間をボルト挿通部Ｓとする。
【００５３】
一対の保持壁１４Ｂｂ，１４Ｂｂは、当接壁１４Ｂａに対して９０°より僅かに小さい角度で設けられており、当接壁１４Ｂａから遠ざかるにつれて間隔が狭まっている。
【００５４】
さらに、一対の保持壁１４Ｂｂ，１４Ｂｂの端部には、それぞれ２個のガイド部１４Ｂｃが設けられており、当接壁１４Ｂａから遠ざかるにつれて間隔が広くなっている。
【００５５】
これらの４つのガイド部１４Ｂｃは、吊り下げボルト１３Ｂａをボルト保持部１４Ｂに嵌入する際に一対の保持壁１４Ｂｂ，１４Ｂｂを押し広げて、ボルト保持部１４Ｂのボルト挿通部Ｓに案内するようになっている。
【００５６】
このように、は、ボルト保持部１４Ｂが吊り下げボルト１３Ｂａに側方から装着可能とされており、当接壁１４Ｂａとの協働によりボルト挿通部Ｓに嵌入された吊り下げボルト１３Ｂａを抱え込んで保持するようになっている。
【００５７】
当接壁１４Ｂａの長手方向下端部には、当接壁１４Ｂａに垂直に一対の保持壁１４Ｂｂ，１４Ｂｂとは反対側に伸びる接合板部１４Ｂｄが形成されており、接合板部１４Ｂｄの略中央位置にはリベット接合用の穴１４Ｂｅが形成されている。
【００５８】
また、当接壁１４Ｂａ長手方向上端部には、吊り下げボルト１３Ｂａの嵌入を補助するための舌片１４Ｂｆが長手方向上向きに延びている。
【００５９】
図３に示すように、バネ板部１４Ｃは、弾性を有するバネ鋼材により形成され、略長方形状のバネ鋼材の長手方向一端中央部を略台形形状に切り欠いたものである。
【００６０】
バネ板部１４Ｃは、この切り欠きの両側に一対の係止爪部１４Ｃａ，１４Ｃａと、平面視略中央位置にリベット接合用の穴１４Ｃｃとを有している。
【００６１】
ボルト保持部１４Ｂの接合板部１４Ｂｄは、補強部材本体１４Ａの切り込み部１４Ａａの終端部に裏面側から当接され、さらに接合板部１４Ｂｄの裏面側にはバネ板部１４Ｃが切り込み部１４Ａａ側に一対の係止爪部１４Ｃａ，１４Ｃａが位置するようにして当接された状態でリベット１５によって接合されている。
【００６２】
補強部材１４の吊り下げボルト１３Ｂａへの装着時には、このバネ板部１４Ｃによって、一対の係止爪部１４Ｃａ，１４Ｃａの各内側端縁１４Ｃｂ，１４Ｃｂが吊り下げボルト１３Ｂａのネジ山の間に係合して、補強部材１４の装着位置を吊り下げボルト１３Ｂａの挿通方向（上下方向）に位置決めできるようになっている。
【００６３】
〈補強部材１４の取り付け方法〉
まず、補強部材１４のボルト保持部１４Ｂを上に向け、切り込み部１４Ａａを吊り下げボルト１３Ｂａに向けた状態で、ボルト保持部１４Ｂのガイド部１４Ｂｃ，１４Ｂｃに吊り下げボルト１３Ｂａが突き当たるまで、補強部材本体１４Ａの切り込み部１４Ａａに吊り下げボルト１３Ｂａを挿通させる。
【００６４】
次に、補強部材本体１４Ａをさらに押し込み、吊り下げボルト１３Ｂａによって一対のガイド部１４Ｂｃ，１４Ｂｃを押し広げることにより、吊り下げボルト１３Ｂａをボルト挿通部Ｓに嵌入させる。
【００６５】
手作業では硬くて嵌入が困難であるときには、ボルト保持部１４Ｂの嵌入補助用舌片１４Ｂｆと吊り下げボルト１３Ｂａとをペンチ１６などによって挟むことにより嵌入させる。
【００６６】
このとき、図５（ａ）または図５（ｂ）に示すように、バネ板部１４Ｃの一対の係止爪部１４Ｃａ，１４Ｃａの各内側端縁１４Ｃｂ，１４Ｃｂが、吊り下げボルト１３Ｂａのネジ山に係合して係止される。
【００６７】
次に、補強部材本体１４Ａに貼設された両面粘着テープＴの剥離紙を剥がして、補強部材本体１４Ａの当接面部１４Ｑ，１４Ｒがそれぞれ折板屋根１１の谷板部１１ｂ，１１ｂの真下に位置するように回転させて向きを調節する。
【００６８】
そして、図６（ａ）に示すように、補強部材１４を上に持ち上げて、ボルト保持部１４Ｂを吊り下げボルト１３Ｂａに沿ってスライドさせて、図６（ｂ）に示すように、補強部材本体１４Ａの当接面部１４Ｑ，１４Ｒをそれぞれ折板屋根１１の谷板部１１ｂ，１１ｂの下端面に圧接させる。
【００６９】
このように、折板屋根１１の谷板部１１ｂ，１１ｂの下端面と、補強部材本体１４Ａの当接面部１４Ｑ，１４Ｒとをそれぞれ両面粘着テープＴ，Ｔによって接合する。
【００７０】
このような折板屋根１１の谷板部１１ｂ，１１ｂと補強部材本体１４Ａの当接面部１４Ｑ，１４Ｒとの接合部を、それぞれ接合部Ｑ，Ｒとする。
【００７１】
このとき、図５（ｂ）に示すように、バネ板部１４Ｃの一対の係止爪部１４Ｃａ，１４Ｃａの各内側端縁１４Ｃｂ，１４Ｃｂは、その弾性変形により吊り下げボルト１３Ｂａのネジ山を出入りするので、補強部材本体１４Ａのスライドを停止した位置で、内側端縁１４Ｃｂ，１４Ｃｂが吊り下げボルト１３Ｂａのネジ山に係止され、この停止位置に補強部材本体１４Ａの上下位置が位置決めされる。
【００７２】
したがって、図６（ｂ）に示すように、各両面粘着テープＴ，Ｔが折板屋根１１の谷板部１１ｂ，１１ｂに当接しても、なお、補強部材本体１４Ａを上に持ち上げて圧接させることにより、バネ板部１４Ｃの弾性力と折板屋根１１の屋根材の弾性力との協働作用により、谷板部１１ｂ，１１ｂと補強部材１４との間に一層の圧接力を与えることができる。
【００７３】
また、バネ板部１４Ｃの一対の係止爪部１４Ｃａ，１４Ｃａの上方への弾性変形は、ボルト保持部１４Ｂの接合板部１４Ｂｄあるいは補強部材本体１４Ａとの干渉により制限されるので、補強部材本体１４Ａは吊り下げボルト１３Ｂａに対して上方にはスライドできるが下方には係止される（図５（ｂ）参照）。
【００７４】
〈補強部材１４の補強構造〉
本実施例の補強部材１４は、一対の当接面部１４Ｑ，１４Ｒを各谷板部１１ｂ，１１ｂ下端面にそれぞれ当接させた状態で補強部材本体１４Ａを吊り下げボルト１３Ｂａに固定することによって軒樋吊具１３を接合部Ｐより下方で支持する。
【００７５】
また、図６（ｂ）に示すように、補強部材１４を軒樋吊具１３と折板屋根１１とに装着した状態では、軒樋吊具１３は、元々接合されている接合部Ｐ以外に、接合部Ｑ，Ｒで接合され、折板屋根１１に対して接合部Ｐ，Ｑ，Ｒの３カ所で固定される。
【００７６】
このように、補強部材１４を装着することによって、折板屋根１１と軒樋吊具１３との接合は補強される。
【００７７】
〈作用効果〉
図２（ｂ）に示すように、本実施例の補強部材１４では、一対の当接面部１４Ｑ，１４Ｒを各谷板部１１ｂ，１１ｂの下端面にそれぞれ当接させた状態で補強部材本体１４Ａを吊り下げボルト１３Ｂａに固定することによって軒樋吊具１３を接合部Ｐより下方で支持するため、風などにより軒樋１２に作用する外力Ｆによる力のモーメントの軸位置が下方（おおよそ、図中×印の位置）に下がり、等しい外力Ｆが軒樋１２に加わった場合であっても、装着前に比べて軒樋１２と軒樋吊具１３とに作用する力のモーメントが減少し、しかも接合部Ｐに集中していた力が各谷板部１１ｂ，１１ｂの下端面にも分散されるので、外力Ｆによる折板屋根１１への負荷を軽減させることができる。
【００７８】
また、折板屋根１１の山板部１１ａと谷板部１１ｂとの高さ方向の距離は、接合部Ｐと山板部軒先側端縁Ｅ３との距離に比べて一般に大きいので、梃子の原理により、接合部Ｐと各谷板部１１ｂ，１１ｂの下端面とに作用するそれぞれの応力は、従来例における接合部Ｐと山板部軒先側端縁Ｅ３との間に集中する応力に比べて減少し、外力Ｆによる折板屋根１１への負荷が軽減される。
【００７９】
さらに、ボルト保持部１４Ｂは吊り下げボルト１３Ｂａに、吊り下げボルト１３Ｂａの側方から装着可能とされているので、吊り下げボルト１３Ｂａと山板部１１ａとの接合や吊り下げボルト１３Ｂａと吊具本体１３Ａとの接合を解除することなく吊り下げボルト１３Ｂａに本実施例の補強部材１４を装着することができ、装着の施工性がよい。
【００８０】
そして、図６に示すように、補強部材本体１４Ａが吊り下げボルト１３Ｂａに対して上方にはスライド可能とされかつ下方には係止されるので、本実施例の補強部材１４を吊り下げボルト１３Ｂａの側方から装着して持ち上げるだけで簡単に一対の当接面部１４Ｑ，１４Ｒを各谷板部１１ｂ，１１ｂの下端面にそれぞれ当接させて装着することができる。
【００８１】
しかも、一般に折板屋根１１は弾性を有する鋼材によって形成されており、このような弾性を有する折板屋根１１と補強部材本体１４Ａとの協働作用によって、補強部材本体１４Ａの一対の各当接面部１４Ｑ，１４Ｒを一対の谷板部１１ｂの各下端面にそれぞれ圧接させることができ、これにより十分な補強強度を得ることができる。
【００８２】
さらに、図５（ａ）に示すように、補強部材本体１４Ａを吊り下げボルト１３Ｂａに対して上方にはスライド可能とすると共に下方には係止する機構が、板バネ部１４Ｃを吊り下げボルト１３Ｂａのネジ山と係合させることによってなされているので、機構が単純であり製造し易い。
【００８３】
さらに、図６（ｂ）に示すように、当接面部１４Ｑ，１４Ｒと各谷板部１１ｂ，１１ｂの下端面とが、それぞれ粘着テープＴにより接着されるので、装着の施工性がよいだけでなく、各当接面部１４Ｑ，１４Ｒにおける補強が一層強固なものとなる。
【００８４】
また、図３に示すように、吊り下げボルト１３Ｂａのボルト保持部１４Ｂへの嵌入を補助するための嵌入補助用の舌片１４Ｂｆがボルト保持部１４Ｂに設けられているため、吊り下げボルト１３Ｂａのボルト保持部１４Ｂへの嵌入が容易にできるので、本実施例の補強部材１４の装着の施工性がよい。
【実施例２】
【００８５】
以下、実施例２について、実施例１とは異なる部分を中心に説明し、実施例１と同一ないし均等な部分については説明を省略する。なお、図面の符号については、実施例１と同一ないし均等な部分には同一の符号を付すものとする。
【００８６】
〈アダプタープレートの構成〉
図７（ａ）において、符号１６は本実施例に係るアダプタープレートである。
【００８７】
アダプタープレート１６は鋼板によって形成されており、アダプタープレート１６には、図７（ａ）または図７（ｂ）に示すように、幅手方向両端部に一対の屈曲部１６ＡＥ，１６ＡＥと、長手方向一端部の中央位置から平面視中央位置まで伸びる方形状の切り込み部１６Ａａとが形成されている。
【００８８】
切り込み部１６Ａａには補強部材１４のボルト保持部１４Ｂが挿通できるようになっている。
【００８９】
アダプタープレート１６は、長手方向両端部に一対の当接面部１６Ｑ，１６Ｒを有しており、当接面部１６Ｑ，１６Ｒには、ブチルゴム製の両面粘着テープＴがそれぞれ貼設されている。
【００９０】
当接面部１６Ｑ，１６Ｒは、装着時に接合部Ｐを有する山板部１１ａの両側の各谷板部１１ｂ，１１ｂの下端面にそれぞれ当接する。
【００９１】
アダプタープレート１６本体の長さは、補強部材本体１４Ａの長さより長くなっており、折板屋根のピッチサイズに合わせて、いくつかの異なるサイズのものを用意している。
【００９２】
〈折板屋根の構成〉
本実施例に係る折板屋根は、実施例１に係る折板屋根１１と同様の構成であるが、そのピッチサイズが異なっている。
【００９３】
〈使用方法〉
図７（ａ）に示すように、補強部材本体１４Ａのボルト保持部１４Ｂをアダプタープレート１６の切り込み部１６Ａａに挿通させて、アダプタープレート１６を補強部材本体１４Ａに載置する。
【００９４】
この状態で、アダプタープレート１６に貼設された両面粘着テープＴの剥離紙を剥がし、実施例１の補強部材１４の取り付け方法と同様にして、アダプタープレート１６の当接面部１６Ｑ，１６Ｒをそれぞれ本実施例に係る折板屋根の谷板部に圧接させる。
【００９５】
〈作用効果〉
補強部材１４は、折板屋根１１の最短のピッチに対応させた長さのものだけを製造し、異なるピッチの折板屋根に対応させた異なる長さのアダプタープレート１６をいくつか用意すれば、これらのアダプタープレート１６を補強部材本体部１４Ａに載置して使用することにより異なるピッチの折板屋根に対応できる。
【００９６】
アダプタープレート１６は、補強部材１４に比べて構造が簡単なので、異なる長さの補強部材１４を製造するより低コストで製造でき、異なる長さの補強部材１４を製造する場合に比べて、製造コストの増大を抑制できる。
【００９７】
以上、図面を参照して、本発明の最良の実施の形態を詳述してきたが、具体的な構成は、この実施の形態に限らず本発明の要旨を逸脱しない程度の設計的変更は本発明に含まれる。
【００９８】
なお、本実施例では、軒先側から建物に対して吹き付ける強風を外力の原因の一例としてとして述べたが、建物の外壁に吹き付けた風の巻き返しの風によって建物側から軒先に向かって吹く風による外力であっても同様の効果が得られる。
【００９９】
また、外力の原因は風に限るものではない。例えば、屋根への積雪が落雪して軒樋に衝突した際の外力であってもよい。
【０１００】
そして、本実施例では、補強部材１４を鋼材によって形成したが、必ずしも金属製である必要はない。例えば、樹脂によって形成されていてもよい。
【０１０１】
さらに、本実施例では、両面粘着テープＴを使用して接合部Ｑと接合部Ｒとを接合したが、接合方法は粘着テープに限るものではない。例えば、接着剤を塗布して接着してもよい。
【０１０２】
また、接合部Ｑと接合部Ｒとは当接していればよく、必ずしも接合しなくてもよい。補強部材本体１４Ａを上に持ち上げて谷板部１１ｂ，１１ｂに圧接させることにより、十分な補強効果を得ることができる。
【図面の簡単な説明】
【０１０３】
【図１】図（ａ）は従来例の軒樋吊具用補強部材を説明するための図であり、建物の折板屋根を軒先側から見た部分斜視図、図（ｂ）は軒樋に強風が吹き付けている場合の図（ａ）のＡ−Ａ断面の断面図である。
【図２】図（ａ）は本実施例の軒樋吊具用補強部材を説明するための斜視図であり、建物の折板屋根を軒先側から見た部分斜視図、図（ｂ）は図（ａ）のＢ−Ｂ断面の断面図である。
【図３】本実施例の軒樋吊具用補強部材の分解斜視図である。
【図４】本実施例の補強部材に係るボルト保持部の５面図である。
【図５】本実施例に係る吊り下げボルトと補強部材のバネ板部との係合状態を説明する図であり、図（ａ）は図３のＥ−Ｅ断面の断面図、図（ｂ）は図（ａ）のＧ−Ｇ断面の断面図である。
【図６】本実施例の補強部材の取り付け方法を説明する建物の折板屋根を図２（ａ）のＣ矢視方向から見た部分端面図であり、図（ａ）は吊り下げボルトをボルト保持部に嵌入後、補強部材の向きを合わせた状態の図、図（ｂ）は本実施例の補強部材の装着が完了した状態の図である。
【図７】図（ａ）は実施例２に係るアダプタープレートの非装着状態の斜視図、図（ｂ）は実施例２に係るアダプタープレートの装着状態の斜視図である。
【符号の説明】
【０１０４】
１１                                    折板屋根
１１ａ                                  山板部
１１ｂ                                  谷板部
１２                                    軒樋
１３                                    軒樋吊具
１３Ａ                                  吊具本体
１３Ｂａ                                吊り下げボルト
１４                                    補強部材（軒樋吊具用補強部材）
１４Ａ                                  補強部材本体
１４Ａａ                                切り込み部
１４Ｂ                                  ボルト保持部
１４Ｂｆ                                舌片（嵌入補助手段）
１４Ｃ                                  板バネ部
１４Ｃｂ                                内側端縁
１４Ｑ，１４Ｒ，１６Ｑ，１６Ｒ          当接面部
Ｅ３                                    山板部軒先側端部
Ｆ                                      折り曲げ部
Ｐ                                      接合部
【図１】
2010007293.tif 000003
【図２】
2010007293.tif 000004
【図３】
2010007293.tif 000005
【図４】
2010007293.tif 000006
【図５】
2010007293.tif 000007
【図６】
2010007293.tif 000008
【図７】
2010007293.tif 000009